(57)【特許請求の範囲】
【請求項１】
二枚貝の生息場をなす粒状物と共に前記二枚貝が収容される二枚貝収容層と、
前記二枚貝収容層よりも高い透水性を有し、下面が前記二枚貝収容層の上面と当接するように設けられる上部透水層と、
前記上部透水層上に設けられる保護層と、
を備えることを特徴とする二枚貝用保護構造体。
【請求項２】
前記上部透水層と前記保護層との間に配置され、前記保護層から前記上部透水層に夾雑物が流入するのを防止する仕切層を更に備えることを特徴とする請求項１に記載の二枚貝用保護構造体。
【請求項３】
前記上部透水層は、前記二枚貝収容層の前記粒状物間に形成される空隙よりも大きい空隙を有する部材で形成されることを特徴とする請求項１又は２に記載の二枚貝用保護構造体。
【請求項４】
前記上部透水層は、前記二枚貝が前記二枚貝収容層よりも上方に移動することを物理的に制限するものであることを特徴とする請求項１〜３のいずれか一項に記載の二枚貝用保護構造体。
【請求項５】
前記二枚貝収容層は、当該二枚貝収容層よりも高い透水性を有する下部透水層上に設けられていることを特徴とする請求項１〜４のいずれか一項に記載の二枚貝用保護構造体。
【請求項６】
沿岸域の地中に敷設された前記二枚貝収容層は、その上面が当該沿岸域の最高水位よりも低い位置に設けられていることを特徴とする請求項１〜５のいずれか一項に記載の二枚貝用保護構造体。
【請求項７】
地表又は水底を掘削して凹部を形成する掘削工程と、
前記凹部内に粒状物を充填して二枚貝収容層を敷設し、当該二枚貝収容層に二枚貝を収容させる二枚貝収容工程と、
前記二枚貝収容層の表面上に、前記二枚貝収容層よりも高い透水性を有する上部透水層を敷設する上部透水層敷設工程と、
前記凹部を埋め戻すように前記上部透水層上に保護層を敷設する保護層敷設工程と、
を備えることを特徴とする二枚貝用保護構造体の構築方法。
【請求項８】
前記保護層を敷設する前に、前記保護層から前記上部透水層に夾雑物が流入するのを防止する仕切層を前記上部透水層の表面上に敷設する仕切層敷設工程を更に備えることを特徴とする請求項７に記載の二枚貝用保護構造体の構築方法。
【請求項９】
前記凹部の底部に前記二枚貝収容層よりも高い透水性を有する下部透水層を敷設し、当該下部透水層上に前記二枚貝収容層を敷設することを特徴とする請求項７又は８に記載の二枚貝用保護構造体の構築方法。
【請求項１０】
前記凹部は、前記二枚貝収容層を形成する位置よりも深い位置にある帯水層に到達する深度まで掘削されることを特徴とする請求項７又は８に記載の二枚貝用保護構造体の構築方法。
【発明の詳細な説明】
【技術分野】
【０００１】
本発明は、台風や波浪による環境変動の影響を受けにくい地中に二枚貝の生息場を形成する二枚貝用保護構造体及びその構築方法に関する。
【背景技術】
【０００２】
干潟や砂浜などの沿岸域には多様な生物が生息している。例えば、潮汐に伴う海面の変動によって冠水と干出とを繰り返す干潟には底生生物と呼ばれる種々の生物が生息している。底生生物は、沿岸域の砂泥に生息する生物であって、砂泥の上を這い回ったり砂泥に穴を開けて巣穴を形成する生物である。底生生物の具体例としては、二枚貝、ゴカイ、カニが挙げられる。
【０００３】
このような底生生物が生息する沿岸域の環境を改善する技術として、例えば、特許文献１に記載の浸透柱が知られている。特許文献１の浸透柱は、感潮河川の潮汐を利用して河川に堆積した泥質及び河川水を浄化して河川環境を改善するものである。
【特許文献１】特許第３８９９３８５号公報
【発明の開示】
【発明が解決しようとする課題】
【０００４】
ところで、アサリやハマグリなどの二枚貝は干潟の砂泥や海水を浄化する性質を有している。したがって、二枚貝を沿岸域に安定的に生息させることは、食料として重宝される二枚貝の供給量を確保するのみならず、周囲環境の浄化ひいては沿岸域の豊かな生態系の構築に寄与するものである。
【０００５】
二枚貝は、自己の水管を通じて底質表面の直上の環境水から有機懸濁物などの餌料と酸素とを摂取するため、通常、水管が延びる最大長の深さに生息している。例えば、アサリは底質表面下１０〜１５ｃｍの深さに生息している。
【０００６】
しかしながら、近年、地球規模の気候変動が原因といわれる海水面の上昇や大型の台風によって、沿岸域の底質が侵食され、二枚貝が安定的に生息しにくくなりつつあることが懸念されている。また、沿岸域の海底表面は、台風などの影響以外にも、風、降雨、日照、浮遊ゴミなどの影響を受けやすく、環境変動が大きい。特に、冠水と干出を繰り返す潮間帯では、海底表面に海藻類やゴミが堆積すると、海底表面下に生息する二枚貝に供給される酸素が欠乏し、すべての二枚貝が死滅する場合もある。
【０００７】
本発明は、このような実情に鑑みてなされたものであり、環境変動の影響を受けにくい地中に二枚貝の生息場を形成することができる二枚貝用保護構造体及びその構築方法を提供することを目的とする。
【課題を解決するための手段】
【０００８】
本発明の二枚貝用保護構造体は、二枚貝の生息場をなす粒状物と共に二枚貝が収容される二枚貝収容層と、この二枚貝収容層よりも高い透水性を有し、下面が二枚貝収容層の上面と当接するように設けられる上部透水層と、この上部透水層上に設けられる保護層と、を備える。
【０００９】
本発明によれば、二枚貝の生息場を環境変動の影響を受けにくい地中に形成することができる。二枚貝収容層を地中の所定の深度に設け、これを上部透水層及び保護層を覆うことで、例えば、台風などの暴浪で侵食を受ける海底地盤変動面よりも深い部分に二枚貝を生息させることができる。
【００１０】
本発明の二枚貝用保護構造体は、二枚貝が収容される二枚貝収容層の上方に高い透水性を有する上部透水層を備えている。上部透水層を通じて二枚貝の生息に必要な酸素及び餌料（プランクトン等）を含む水が二枚貝に供給される。この上部透水層は、上記のように二枚貝に酸素及び餌料を含む水を供給する役割を担うと共に、二枚貝収容層の上面、すなわち、二枚貝収容層と上部透水層との界面が底質表面であると二枚貝に認識させるという役割も担っている。透水性に優れた上部透水層が二枚貝収容層の直上に存在することで、そこを底質表面と認識するので、通常は底質表面の近傍に生息する二枚貝を地中深くに埋没させた状態で定位させることができる。
【００１１】
本発明の二枚貝用保護構造体においては、上部透水層と保護層との間に配置され、保護層から上部透水層に砂や粘土などの土質材料又は海藻類の破片などの夾雑物が流入するのを防止する仕切層を更に備えることが好ましい。かかる構成を採用することにより、二枚貝収容層上に砂が流入することを抑制でき、二枚貝収容層と上部透水層との界面が不明確となることを防ぐことができる。このことにより、二枚貝が二枚貝収容層よりも上方に移動することが十分に抑制される。
【００１２】
上部透水層は、二枚貝収容層の粒状物間に形成される空隙よりも大きい空隙を有する部材で形成されることが好ましい。かかる構成を採用することにより、二枚貝は上部透水層の空隙内に水管を延ばし、そこから酸素及び餌料（プランクトン等）を含む水を摂取しやすいという利点がある。また、この上部透水層は、二枚貝が二枚貝収容層よりも上方に移動することを物理的に制限するものであってもよい。
【００１３】
二枚貝収容層は、当該二枚貝収容層よりも高い透水性を有する下部透水層上に設けられていることが好ましい。下部透水層が存在することで酸素及び餌料を豊富に含む水と共に、二枚貝の受精卵や浮遊幼生が外部から二枚貝収容層に供給されやすくなる。また、二枚貝収容層から外部に向けて二枚貝の受精卵や浮遊幼生を供給しやすくなる。
【００１４】
沿岸域の地中に敷設された二枚貝収容層は、その上面が当該沿岸域の最高水位よりも低い位置に設けられていることが好ましい。この場合、沿岸域の水位の変動によって、酸素及び餌料（プランクトン等）を豊富に含む水が二枚貝収容層に効率的に供給される。
【００１５】
本発明に係る二枚貝用保護構造体は、下記の本発明に係る構築方法によって構築できる。本発明に係る構築方法は、地表又は水底を掘削して凹部を形成する掘削工程と、凹部内に粒状物を充填して二枚貝収容層を敷設し、当該二枚貝収容層に二枚貝を収容させる二枚貝収容工程と、二枚貝収容層の表面上に、二枚貝収容層よりも高い透水性を有する上部透水層を敷設する上部透水層敷設工程と、前記凹部を埋め戻すように上部透水層上に保護層を敷設する保護層敷設工程と、を備える。
【００１６】
本発明に係る二枚貝用保護構造体の構築方法においては、保護層を敷設する前に、この保護層から上部透水層に夾雑物が流入するのを防止する仕切層を上部透水層の表面上に敷設する仕切層敷設工程を更に備えることが好ましい。
【００１７】
また、掘削工程で形成する凹部の底部に二枚貝収容層よりも高い透水性を有する下部透水層を敷設し、当該下部透水層上に二枚貝収容層を敷設してもよい。あるいは、二枚貝用保護構造体の構築予定位置の地下に存在する帯水層に到達する深度まで掘削して凹部を形成し、この凹部の底面上に二枚貝収容層を敷設してもよい。
【発明の効果】
【００１８】
本発明によれば、環境変動の影響を受けにくい地中に二枚貝の生息場を形成することができる。
【発明を実施するための最良の形態】
【００１９】
以下、図面を参照しつつ本発明の好適な実施形態について詳細に説明する。
【００２０】
（第１実施形態）
図１に示す二枚貝用保護構造体１０は、海の沿岸域に構築されたものであり、海岸線に沿って掘削された掘削溝（凹部）１５内に設けられている。この二枚貝用保護構造体１０は、掘削溝１５の底面をなす帯水層１上に、二枚貝収容層２、上部透水層３、仕切層４及び保護層５がこの順序で積層されてなる積層部１０ａを備えると共に、積層部１０ａの内部に新鮮な水が十分に供給されるように、積層部１０ａの陸側及び海側にそれぞれ設けられた陸側浸透柱１０ｂ及び海側浸透柱１０ｃを備えている。浸透柱１０ｂ，１０ｃは、地表面８ａ又は海底面８ｂから地下の帯水層１に至るように設けられている。
【００２１】
二枚貝収容層２は、二枚貝の生息場をなす粒状物と共に二枚貝７が収容されている。二枚貝収容層２の直上に高い透水性を有する上部透水層３が設けられているため、二枚貝収容層２内の二枚貝７は、二枚貝収容層２の上面２ａが海底面である認識するので、二枚貝７が例えばアサリの場合、上面２ａ下１０〜１５ｃｍ程度の深さの位置に定位する。
【００２２】
二枚貝収容層２を形成し、二枚貝７の生息場をなす粒状物としては、砂泥を主成分とするものが好ましい。また、砂泥に礫や栄養分を添加して底質を調製し、これによって二枚貝収容層２を形成してもよい。
【００２３】
上部透水層３は、二枚貝収容層２よりも高い透水性を有し、下面が二枚貝収容層２の上面２ａと当接するように設けられている。二枚貝７が水管を上部透水層３にまで延ばした際、水管の動きが阻害されないことが好ましく、かかる観点から、上部透水層３は内部に比較的大きな空隙を備える多孔質体で形成されることが好ましい。上部透水層３が高い透水性及び空隙率を有していることで、二枚貝７は酸素及び餌料（プランクトン等）を十分に摂取することができる。
【００２４】
上部透水層３を形成する材質としては、繊維材料からなる多孔質体が好ましく、具体的には、繊維材料が熱蒸着等で互いに接着し、これを成型することによって作製される多孔質体を例示できる。市販のものとしては、ＣＰジオマット（商品名、チッソ株式会社製）を挙げることができる。このような多孔質体は、高い透水性及び空隙率を有するのに加え、上下方向からの圧縮力に対する耐性も有している。
【００２５】
仕切層４は、上部透水層３と後述する保護層５との間に配置されており、保護層５から上部透水層３に砂や粘土などの土質材料又は海藻類の破片などの夾雑物が流入するのを防いでいる。仕切層４を形成する材質としては、透水性を有している一方、夾雑物の通過を十分に防ぐことができるものであれば、特に限定されないが、例えば、不織布が挙げられる。複数枚の不織布を重ねて敷設することによって仕切層４を形成してもよい。
【００２６】
このような仕切層４を配置することで、二枚貝収容層２の上面２ａに砂が堆積することを抑制でき、二枚貝収容層２内の二枚貝７が上部透水層３に向けて這い上がろうとすることを防止できる。二枚貝収容層２の上面２ａを底質底面と二枚貝７に認識させ、自発的な這い上がりを行わない環境を保持することは、二枚貝７の成長の観点から重要である。
【００２７】
すなわち、上部透水層３を形成する多孔質体の空隙に砂が流入すると、二枚貝７は二枚貝収容層２の上面２ａを底質底面と認識せず、二枚貝７は上部透水層３へと這い上がろうとする。二枚貝７が這い上がろうとしているにも関わらず、上部透水層３を形成する多孔質体の空隙の大きさが二枚貝７よりも小さければ、上部透水層３で二枚貝７の上方への移動が物理的に制限される。このような環境では、二枚貝７はストレスを受けて成長が阻害されるおそれがある。
【００２８】
保護層５は、掘削溝１５を埋め戻すように仕切層４上に設けられる。この保護層５によって、地中に設置した二枚貝収容層２及びこれに収容されている二枚貝７、並びに、上部透水層３及び仕切層４が波浪や潮流から保護される。砂泥を主成分とする土質材料によって保護層５を形成することにより、図１に示すように、保護層５内にもアサリなどの二枚貝９を生息させることができる。なお、台風の暴浪などの影響から二枚貝７等を確実に保護するためには、地下水位の高さにもよるが、保護層５の層厚は０．５ｍ以上であることが好ましく、０．５〜１．０ｍであることがより好ましい。
【００２９】
なお、保護層５内の二枚貝９は台風の暴浪などによって保護層５の一部が侵食されると、海に放出されてしまう可能性があるが、二枚貝収容層２内の二枚貝７は環境変動の影響を受けずに定住している。二枚貝収容層２内に定住している二枚貝７が産卵をすれば、潮汐に伴う地中の間隙水の移動によって、受精卵や浮遊幼生が近隣海域へと供給される。このため、上記のように保護層５が侵食され、海底面８ｂの生態系が破壊されても、稚仔の供給が円滑に進むため、生態系を早期に回復することができる。
【００３０】
浸透柱１０ｂ，１０ｃは、地下の帯水層１と共に、二枚貝用保護構造体１０の積層部１０ａを囲むように設けられている。浸透柱１０ｂ，１０ｃを形成する材質としては、高い浸透性を有するものであれば特に限定されないが、砂、礫、砂利などの土質材料が挙げられる。あるいは、水質の改善作用を有する石炭灰などのアルカリ性固形粒体を用いてもよい。
【００３１】
次に、本実施形態に係る二枚貝用保護構造体１０の構築方法について説明する。二枚貝用保護構造体１０を構築するには、まず、二枚貝用保護構造体１０の構築予定位置の地下に存在する帯水層１に到達する深度まで掘削して掘削溝１５を形成する（掘削工程）。続いて、掘削溝１５の陸側及び海側の側面にそれぞれ陸側浸透柱１０ｂ及び海側浸透柱１０ｃをそれぞれ構築する。その後、掘削溝１５の底面上に粒状物を敷設して二枚貝収容層２を形成し、そこに二枚貝７を収容させる（二枚貝収容工程）。
【００３２】
二枚貝７が収容された二枚貝収容層２の表面上に、上部透水層３を敷設し（上部透水層敷設工程）、上部透水層３の表面上に仕切層４を敷設する（仕切層敷設工程）。仕切層４を敷設後、掘削溝１５を埋め戻すように仕切層４上に保護層５を敷設する（保護層敷設工程）。
【００３３】
なお、ここでは、帯水層１上に二枚貝収容層２を敷設する場合について説明したが、例えば、帯水層１の透水性が不十分であるといった場合には、帯水層１の代わりに人工的に下部透水層を敷設することが好ましい。帯水層１及び人工的に設ける下部透水層の透水性は、二枚貝収容層２と同等もしくはそれよりも高いことが好ましい。
【００３４】
（第２実施形態）
図２に示す二枚貝用保護構造体２０は、満潮時と干潮時の潮位の差が大きい沿岸域に設けられており、潮位が所定の高さよりも高くなると海水が流入して貯留できる海水貯留槽２５を具備する点以外は、第１の実施形態に係る二枚貝用保護構造体１０と同一の構成である。図２に示す潮位ＭＨＷは、平均高潮位（ＭＨＷ：Ｍｅａｎ  Ｈｉｇｈ  Ｗａｔｅｒ）を意味する。
【００３５】
図２に示すように、二枚貝用保護構造体２０の海水貯留槽２５は、積層部１０ａ及び陸側浸透柱１０ｂよりも陸側の護岸構造体３０に設けられている。海水貯留槽２５は、上部に開口２５ａを備え、貯留した海水を排出するためのバルブ２５ｂを下部に備えている。
【００３６】
貯留した海水を干潮時などにバルブ２５ｂを開放して放出することで、積層部１０ａに海水を供給することができる。これにより、二枚貝７に酸素及び餌料を含む海水が供給され、二枚貝７が十分に成長することができる。また、地上から酸素を多く含む海水を放出することで、地中において接触酸化が生じ、底質の腐敗が防止されるため、二枚貝７の生息にとって好適な環境が十分に維持される。
【００３７】
以上、本発明に係る二枚貝保護構造体及びその構築方法の実施形態について詳しく説明したが、本発明は更に下記のような形態であってもよい。
【００３８】
例えば、上記実施形態では上部透水層３を形成する材質の好適な例として、繊維材料からなる多孔質体を挙げたが、鋼材を格子状に組んで形成され、鋼材で囲まれた大きな空隙を有するグレーチングを利用して上部透水層を敷設してもよい。
【００３９】
また、上記実施形態では保護層５が砂泥を主成分とするもので形成される場合を例示したが、砂泥の代わりに礫、砂利、岩などの土質材料によって保護層５を形成してもよい。例えば、岩で保護層５を形成した場合には、そこに二枚貝９を生息させることは困難となるが、砂泥で形成した場合と比較し、保護層５の侵食が抑制できるという利点がある。
【００４０】
更に、二枚貝収容層２を形成する粒状物が帯水層１に流出するのを防止する観点から、二枚貝収容層２と帯水層１との間に防砂層を更に敷設してもよい。かかる防砂層は、上記実施形態における仕切層４と同様の材質によって形成すればよい。
【００４１】
また、二枚貝用保護構造体１０，２０は、海岸の他に河川や湖沼の沿岸などに構築することもできるため、海水域に生息するアサリ、カガミガイ、ウバガイ、ハマグリなどの二枚貝に限らず、例えば、汽水域に生息するヤマトシジミ、イソシジミなどの二枚貝あるいは淡水域に生息するドブガイ、マツカサガイ、マシジミなどの二枚貝の保護構造体として適用することができる。
【００４２】
＜評価実験＞
（アサリの飼育実験）
本発明に係る二枚貝用保護構造体の性能を評価するため、アサリの飼育実験を行った。まず、アサリを２０匹準備し、実験開始前の湿重量を測定した。また、下端の開口が透水性シートで覆われ、内部に砂などを充填できる２本のアクリル製パイプ（外径１５０ｍｍ）と、海水が収容された水槽とを準備した。
【００４３】
パイプＡ内に上記実施形態の積層部１０ａの構造を形成するため、下端の透水性シート上に二枚貝収容層、上部透水層、仕切層及び保護層をこの順序で形成した。一方、パイプＢ内には、上部層水層及び仕切層を設けずに、下端の透水性シート上に二枚貝収容層及び保護層のみをこの順序で形成した。
【００４４】
二枚貝収容層（層厚１００ｍｍ）は中砂（中央粒径値５００μｍ）を充填することで形成し、保護層（層厚１００ｍｍ）は粗砂（中央粒径値１５００μｍ）を充填することで形成した。また、上部透水層（層厚５０ｍｍ）は、チッソ株式会社製のＣＰジオマット（商品名）を使用して形成し、仕切層は不織布を使用して形成した。なお、パイプＡ，Ｂ内に中砂を充填して二枚貝収容層をそれぞれ形成した後、双方の二枚貝収容層に１０匹ずつのアサリを投入した。アサリの潜砂を確認した後、パイプＡについては上部透水層、仕切層及び保護層の形成を行い、パイプＢについては保護層の形成を行った。
【００４５】
上記のようにして準備したパイプＡ，Ｂを水槽内の海水に浸した。このとき、図３に示すように、水槽の水面が保護層の下面よりも高く、上面よりも低い位置となるようにパイプＡ，Ｂの高さを調整した。その後、パイプＡ，Ｂのそれぞれの上端開口から毎分１リットル／分で海水を供給し、アサリの飼育実験を開始した。図３は、飼育実験開始直後の状態を示しており、パイプＡ，Ｂのいずれにおいてもアサリは二枚貝収容層内に存在している。
【００４６】
飼育実験開始から４週間後にパイプＡ，Ｂ内からアサリを回収し、それぞれ投入した１０匹のうち、実験終了時に生きている個体数をカウントした。また、生きているアサリについて、その湿重量を測定した。
【００４７】
（カガミガイの飼育実験）
カガミガイ（稚貝）を２０匹準備し、実験開始前の湿重量を測定した。アサリの代わりにカガミガイをパイプＡ，Ｂの二枚貝収容層にそれぞれ投入したことの他は、上記のアサリの飼育実験と同様にして飼育実験を行った。
【００４８】
図４にアサリ及びカガミガイの飼育実験の結果（生残率、平均湿重量）を示す。同図に示す通り、パイプＡの条件下では、アサリ及びカガミガイの双方ともに生残率１００％であったのに対し、パイプＢの条件下では、アサリ及びカガミガイの生残率はそれぞれ０％及び８０％であった。パイプＢの条件下においてアサリの全個体が死亡したのは、保護層の表面上には海水が存在しないにも関わらず、アサリが二枚貝収容層から保護層の間隙水面近傍にまで這い上がり、酸素及び餌料を十分に摂取できなかったことが原因と考えられる。これに対し、パイプＡの条件下では、アサリが実験終了時に二枚貝収容層内から回収され、二枚貝収容層に定位していたことが確認された。また、湿重量も実験開始前と比較すると増加していることから、パイプＡ内の積層構造によれば、アサリの成長に好適な環境を提供し得ることが示された。
【００４９】
また、パイプＡ，Ｂから回収されたカガミガイの湿重量を比較すると、いずれも実験開始前よりも減少しているが、パイプＡ内で飼育されたカガミガイの方がその減少率が抑制されている。この結果から、パイプＡの積層構造の方がパイプＢの積層構造よりもカガミガイにとってストレスが少ない環境を提供し得ることが示された。
【図面の簡単な説明】
【００５０】
【図１】本発明に係る二枚貝用保護構造体の第１実施形態を示す断面図である。
【図２】本発明に係る二枚貝用保護構造体の第２実施形態を示す断面図である。
【図３】飼育実験に使用した実験装置を示す断面図である。
【図４】飼育実験の結果を示すグラフである。
【符号の説明】
【００５１】
１…帯水層、２…二枚貝収容層、３…上部透水層、４…仕切層、５…保護層、７，９…二枚貝、１０，２０…二枚貝用保護構造体、１５…掘削溝（凹部）
【図１】
0004962736.tif 000002
【図２】
0004962736.tif 000003
【図３】
0004962736.tif 000004
【図４】
0004962736.tif 000005